(57)【要約】【課題】所望のページに効率よく遷移できる電子機器を提供する。【解決手段】表示部２０と、接触物が接触される接触部３０と、接触部３０における接触パターンを検出し、該接触パターンに基づいて表示部２０における表示ページの変化ページ数を変更する制御部１０と、を備える。【選択図】図１
2013228937.tif 000002
【特許請求の範囲】
【請求項１】
表示部と、
接触物が接触される接触部と、
前記接触部における接触パターンを検出し、該接触パターンに基づいて前記表示部における表示ページの変化ページ数を変更する制御部と、
を備える電子機器。
【請求項２】
前記接触部に対する押圧を検出する押圧検出部を更に備え、
前記制御部は、前記押圧検出部による押圧を前記接触パターンとして検出する、
請求項１に記載の電子機器。
【請求項３】
表示部と、接触物が接触される接触部と、を備える電子機器の制御方法であって、
前記接触部における接触パターンを検出するステップと、
検出された接触パターンに基づいて前記表示部における表示ページの変化ページ数を変更するステップと、
を含む電子機器の制御方法。
【発明の詳細な説明】
【技術分野】
【０００１】
本発明は、電子機器及び電子機器の制御方法に関するものである。
【背景技術】
【０００２】
近年、タッチセンサ等の接触検出部に対する操作入力に基づいて、表示部に表示されるブラウザや電子ブック等のページを遷移させるようにした電子機器が実用化されている。例えば、特許文献１には、ユーザが画面上の所定位置に所定の圧力で指を接触すると、その接触期間中、連続ページめくりを継続するとともに、更新されたページの画像情報を表示部に順次表示するようにした電子機器が開示されている。
【先行技術文献】
【特許文献】
【０００３】
【特許文献１】特開２０００−１６３１９３号公報
【発明の概要】
【発明が解決しようとする課題】
【０００４】
しかしながら、特許文献１に開示の電子機器においては、ページめくりを１ページずつ行うようにしている。そのため、所望のページが、表示中のページよりも先又は手前に十分離れている場合は、所望のページに遷移するまでに時間がかかることが懸念される。
【０００５】
したがって、本発明の目的は、所望のページに効率よく遷移できる電子機器及び電子機器の制御方法を提供することにある。
【課題を解決するための手段】
【０００６】
上記目的を達成する本発明に係る電子機器は、
表示部と、
接触物が接触される接触部と、
前記接触部における接触パターンを検出し、該接触パターンに基づいて前記表示部における表示ページの変化ページ数を変更する制御部と、
を備えるものである。
【０００７】
本発明の一実施の形態に係る電子機器においては、前記接触部に対する押圧を検出する押圧検出部を更に備え、
前記制御部は、前記押圧検出部による押圧を前記接触パターンとして検出する、のが好ましい。
【０００８】
さらに、上記目的を達成する本発明に係る電子機器の制御方法は、
表示部と、接触物が接触される接触部と、を備える電子機器の制御方法であって、
前記接触部における接触パターンを検出するステップと、
検出された接触パターンに基づいて前記表示部における表示ページの変化ページ数を変更するステップと、
を含むものである。
【発明の効果】
【０００９】
本発明によれば、接触部への押圧に応じて単位変化ページ数が変更されるので、所望のページに効率よく遷移することが可能となる。
【図面の簡単な説明】
【００１０】
【図１】本発明の一実施の形態に係る電子機器の概略構成を示す機能ブロック図である。
【図２】図１の電子機器の概略動作を説明するフローチャートである。
【００１１】
以下、本発明の実施の形態について、図を参照して説明する。
【００１２】
図１は、本発明の一実施の形態に係る電子機器の概略構成を示す機能ブロック図である。図１に示す電子機器１は、制御部１０と、表示部２０と、接触検出部３０と、押圧検出部４０と、記憶部５０と、を備えている。
【００１３】
制御部１０は、電子機器１を構成する各機能部を制御することにより、電子機器１の全体を制御および管理する。制御部１０の処理のうち本実施の形態に特有のものについては後述する。
【００１４】
表示部２０は、ブラウザや電子ブック等のアプリケーションソフトウェア（以下、単に「アプリケーション」と記す）における画像（ページ）、アイコンや押しボタン等の入力用オブジェクト等を表示する。表示部２０は、例えば、液晶表示パネル、有機ＥＬ表示パネル、電子ペーパ等を用いて構成される。
【００１５】
接触検出部３０は、接触部を構成するもので、表示部２０の前面側に配置されて、表示部２０に表示されたオブジェクトに対する操作者の指やスタイラスペン等（以下、単に「接触物」と総称する）による接触を、対応する接触検出部３０のタッチ面において検出する。また、接触検出部３０は、タッチ面に対する接触物の接触の位置を検出し、当該検出した接触の位置を制御部１０に通知する。この接触検出部３０は、例えば抵抗膜方式、静電容量方式、光学式等のタッチセンサを用いて構成することができる。
【００１６】
押圧検出部４０は、接触検出部３０のタッチ面に対する押圧を検出するもので、例えば、押圧に応じて物理的または電気的な特性（歪み、抵抗、電圧等）が変化する歪みゲージセンサや圧電素子等を用いて構成される。押圧検出部４０が、例えば、圧電素子を用いて構成される場合、接触検出部３０のタッチ面に対する押圧に係る荷重（力）の大きさ（または、荷重（力）の大きさが変化する速さ（加速度））に応じて、圧電素子の電気的な特性である電圧の大きさ（電圧値（以下、単にデータと称する））が変化する。
【００１７】
制御部１０は、押圧検出部４０からデータが通知されることにより、又は、制御部１０が、押圧検出部４０のデータを検出することにより、当該データを取得する。つまり、制御部１０は、押圧検出部４０から、接触検出部３０に対する接触物の接触パターンとして、接触検出部３０のタッチ面に対する押圧に基づくデータを取得する。
【００１８】
記憶部５０は、例えばフラッシュメモリ等によって構成され、電子機器１が実行可能な各種のアプリケーション、押圧検出部４０のデータに対する複数の基準値と、各基準値に対応する単位変化ページ数等の各種の情報を記憶する。
【００１９】
次に、本実施の形態に係る電子機器１の概略動作について、図２に示すフローチャートを参照して説明する。
【００２０】
先ず、制御部１０は、実行中のアプリケーションの画像（ページ）を表示部２０に表示する（ステップＳ２０１）。次に、制御部１０は、接触検出部３０によるページめくりに関する接触の有無を監視する（ステップＳ２０２）。接触が検出されると、制御部１０は、例えば所定のタイミングで、押圧検出部４０から接触検出部３０に対する押圧に基づくデータを取得し（ステップＳ２０３）、その取得したデータが満たす最大の基準値を検出する（ステップＳ２０４）。
【００２１】
ステップＳ２０４で基準値が検出されると、制御部１０は、当該基準値に対応する単位変化ページ数で、接触によるページの進む又は戻るに関する入力に応じてページめくり処理を実行し、表示部２０に遷移したページを表示する（ステップＳ２０５）。例えば、データが満たす最大の基準値が、最小の基準時の場合は１ページめくりとし、次に大きい基準値の場合は２ページめくりとして、遷移したページを表示部２０に表示する。
【００２２】
制御部１０は、ステップＳ４０２において、接触検出部３０によるページめくりに関する接触が継続して検出されている間、ステップＳ２０３及びＳ２０４の処理を繰り返す。また、ステップＳ２０２において接触が検出されない場合、つまり接触検出部３０から指等の接触物が離れると、制御部１０は、ページめくり処理を終了する。
【００２３】
本実施の形態によれば、所望のページが、現在の表示ページの近傍の場合、ユーザは、接触検出部３０を比較的弱い押圧力で押圧して、例えば１ページめくりを実行させる。これにより、ユーザは、表示部２０への表示ページを所望のページに遷移させることが可能となる。
【００２４】
また、所望のページが、現在の表示ページから離れている場合、ユーザは、初めは、接触検出部３０を比較的強い押圧力で押圧して、例えば２ページめくりを実行させる。その後、所望のページに近づいたら、ユーザは、押圧力を弱めて１ページめくりを実行させる。これにより、ユーザは、表示部２０への表示ページを所望のページに効率よく遷移させることが可能となる。
【００２５】
なお、本発明は、上記実施の形態に限定されるものではなく、幾多の変形または変更が可能である。例えば、上記実施の形態において、制御部１０により検出する接触検出部３０における接触パターンは、接触検出部３０に対する接触物のスイープ量やベクトルの接触パターンであってもよいし、押圧、スイープ量、ベクトルの任意の複数の組み合わせからなる接触パターンであってもよい。
【００２６】
また、押圧検出部４０は、接触検出部３０における接触検出方式に応じて構成することができる。例えば、抵抗膜方式の場合には、接触面積の大きさに応じた抵抗の大きさを、接触検出部３０のタッチ面に対する押圧の荷重（力）に対応付けて検出するように構成することができる。あるいは、静電容量方式の場合には、静電容量の大きさを、接触検出部３０のタッチ面に対する押圧の荷重（力）に対応付けて検出するように構成することができる。
【００２７】
また、表示部２０及び接触検出部３０は、両機能を共通の基板に持たせる等により、一体化した装置によって構成されるようにしてもよい。このような装置の構成の一例としては、液晶パネルが有するマトリクス状配列の画素電極群に、フォトダイオード等の複数の光電変換素子を規則的に混在させたものを挙げることができる。このような装置は、液晶パネル構造によって画像を表示する一方で、パネル表面の所望位置をタッチ入力するペンの先端で液晶表示用のバックライトの光を反射し、この反射光を周辺の光電変換素子が受光することによって、タッチ位置を検出することが可能である。
【００２８】
また、上記実施の形態におけるように、接触パターンとして押圧を検出する場合は、接触検出部３０に代えて、単に接触物が接触される接触検出機能を有しない接触部、例えばページの前後を示すキーを用いることもできる。
【符号の説明】
【００２９】
１  電子機器
１０  制御部
２０  表示部
３０  接触検出部
４０  押圧検出部
５０  記憶部
【図１】
2013228937.tif 000003
【図２】
2013228937.tif 000004